(57)【特許請求の範囲】
【請求項１】
内容物が収容される容器本体と、
前記容器本体の口部に着脱自在に装着される中蓋と、
前記中蓋に着脱自在に配設された取出し具と、を備える中蓋付き容器であって、
前記中蓋は、天壁部と、前記天壁部から下方に向けて突出する脚部と、を備え、
前記天壁部には、底壁部と、該底壁部の外周縁から立ち上がる部分とを有し、前記取出し具が収容される収容凹部が形成され、
前記収容凹部の前記底壁部は、前記取出し具が載置される支持高部と、前記支持高部より下方に位置し前記取出し具との間に容器軸方向の隙間が設けられた取出し低部と、を備え、
前記支持高部は、前記底壁部における中央部に配置され、
前記取出し低部は、前記支持高部から径方向の外側に向かうに従い漸次下方に向けて延在し、
前記底壁部の全体が前記支持高部と前記取出し低部によって形成され、
前記取出し低部の傾斜面は、前記底壁部の前記外周縁まで延びていることを特徴とする中蓋付き容器。
【請求項２】
前記支持高部は容器軸に直交する平坦面になっていることを特徴とする請求項１に記載の中蓋付き容器。
【請求項３】
内容物が収容される容器本体と、
前記容器本体の口部に着脱自在に装着される中蓋と、
前記中蓋に着脱自在に配設された取出し具と、を備える中蓋付き容器であって、
前記中蓋は、天壁部と、前記天壁部から下方に向けて突出する脚部と、を備え、
前記天壁部には、前記取出し具が収容される収容凹部が形成され、
前記収容凹部の底壁部は、前記取出し具が載置される支持高部と、前記支持高部より下方に位置し前記取出し具との間に容器軸方向の隙間が設けられた取出し低部と、を備え、
前記支持高部は、前記底壁部における外周部に配置されて環状に形成され、前記取出し具における長手方向の両端部を支持し、
前記取出し低部は、前記支持高部の内周縁に段部を介して連なっていることを特徴とする中蓋付き容器。
【請求項４】
前記脚部は、前記天壁部から下方に向けて突出する脚片と、前記脚片の下端部を径方向の外側から囲繞する環状の接地部と、を備えることを特徴とする請求項１乃至３のいずれか１項に記載の中蓋付き容器。
【発明の詳細な説明】
【技術分野】
【０００１】
本発明は、中蓋付き容器に関する。
【背景技術】
【０００２】
従来から、例えば下記特許文献１に示すような、内容物が収容される容器本体と、容器本体の口部に着脱自在に装着される中蓋と、中蓋に着脱自在に配設された取出し具と、を備える中蓋付き容器が知られている。中蓋の天壁部の下面は、容器本体の内部に露呈されているので、天壁部の下面に内容物が付着しやすい。
【先行技術文献】
【特許文献】
【０００３】
【特許文献１】特開２０１２−２４６０１３号公報
【発明の概要】
【発明が解決しようとする課題】
【０００４】
しかしながら、前記従来の中蓋付き容器では、内容物を取出す際に、中蓋を載置部に載置する場合に、中蓋を下面が上方を向くように裏返しの姿勢にする必要がある。この場合、中蓋を容器本体の口部に再度装着するときに、中蓋を把持しにくいばかりでなく、天壁部の下面に対して、埃などが付着したり、付着していた内容物が周囲に付着したりするおそれがある。
また、中蓋を載置部に載置した状態で取出し具を中蓋から取り外しにくいという問題があった。
【０００５】
本発明は、前述した事情に鑑みてなされたものであって、中蓋の天壁部の下面に対して、埃などが付着したり、付着していた内容物が周囲に付着したりするのを抑えることができるとともに、取出し具を中蓋から容易に取り外すことができる中蓋付き容器を提供することを目的としている。
【課題を解決するための手段】
【０００６】
前記課題を解決するために、本発明は以下の手段を提案している。
本発明に係る中蓋付き容器は、内容物が収容される容器本体と、前記容器本体の口部に着脱自在に装着される中蓋と、前記中蓋に着脱自在に配設された取出し具と、を備える中蓋付き容器であって、前記中蓋は、天壁部と、前記天壁部から下方に向けて突出する脚部と、を備え、前記天壁部には、底壁部と、該底壁部の外周縁から立ち上がる部分とを有し、前記取出し具が収容される収容凹部が形成され、前記収容凹部の前記底壁部は、前記取出し具が載置される支持高部と、前記支持高部より下方に位置し前記取出し具との間に容器軸方向の隙間が設けられた取出し低部と、を備え、前記支持高部は、前記底壁部における中央部に配置され、前記取出し低部は、前記支持高部から径方向の外側に向かうに従い漸次下方に向けて延在し、前記底壁部の全体が前記支持高部と前記取出し低部によって形成され、前記取出し低部の傾斜面は、前記底壁部の前記外周縁まで延びていることを特徴としている。
【０００７】
本発明の中蓋付き容器では、中蓋に、天壁部から下方に向けて突出する脚部が備えられているので、容器本体内の内容物を取出すに際し、容器本体の口部から離脱した中蓋を、脚部を載置面に接地させることにより、天壁部の下面を下方に向けた状態で自立させることができる。これにより、天壁部の下面に付着した内容物が周囲に付着したり、周囲の埃などが天壁部の下面に付着したりするのを抑制することができるとともに、中蓋を容器本体の口部に再度装着するときに、脚部を把持することで中蓋を容易に操作することができる。また、中蓋を自立させた状態で取出し具を中蓋から取り外すことが可能になり、優れた操作性を具備させることができる。
そして、収容凹部の底壁部が支持高部および取出し低部を備えているので、取出し低部と取出し具との間に指を差込み易くなり、容器本体の口部から離脱した中蓋を自立させることが可能になることと相俟って、取出し具を容易に摘まむことができる。
【０００９】
また、本発明では、取出し具のうち、長手方向の一端部を収容凹部の底壁部に向けて押し付けると、長手方向の他端部が、収容凹部の底壁部から浮き上がって容器軸方向の隙間が広くなり、取出し低部と取出し具との間に指をより一層差込み易くなる。
【００１０】
また、本発明に係る中蓋付き容器は、前記支持高部は容器軸に直交する平坦面になっていることが好ましい。
【００１１】
この場合には、収容凹部における取出し具の位置を安定させることができる。
【００１２】
また、本発明に係る中蓋付き容器は、内容物が収容される容器本体と、前記容器本体の口部に着脱自在に装着される中蓋と、前記中蓋に着脱自在に配設された取出し具と、を備える中蓋付き容器であって、前記中蓋は、天壁部と、前記天壁部から下方に向けて突出する脚部と、を備え、前記天壁部には、前記取出し具が収容される収容凹部が形成され、前記収容凹部の底壁部は、前記取出し具が載置される支持高部と、前記支持高部より下方に位置し前記取出し具との間に容器軸方向の隙間が設けられた取出し低部と、を備え、前記支持高部は、前記底壁部における外周部に配置されて環状に形成され、前記取出し具における長手方向の両端部を支持し、前記取出し低部は、前記支持高部の内周縁に段部を介して連なっていることを特徴としている。
【００１３】
この場合には、支持高部が環状に形成されていて、取出し具における長手方向の両端部を支持しているので、収容凹部における取出し具の位置を確実に安定させることができる。また、取出し低部が、支持高部の内周縁に段部を介して連なっているので、取出し低部の内容積を大きく確保することが可能になり、指を取出し低部内に容易に差込むことができる。
【００１４】
また、本発明に係る中蓋付き容器は、前記脚部は、前記天壁部から下方に向けて突出する脚片と、前記脚片の下端部を径方向の外側から囲繞する環状の接地部と、を備えることが好ましい。
【００１５】
この場合には、脚部が、環状の接地部を備えているので、中蓋を載置面に確実に安定して接地させることができる。
また、脚片が弾性変形するのを環状の接地部によって抑制することが可能になり、中蓋を容器本体の口部に装着する際に、脚片がぐらつくのを防ぐことが可能になり、この装着を容易に行うことができる。
【発明の効果】
【００１６】
本発明によれば、中蓋の天壁部の下面に対して、埃などが付着したり、付着していた内容物が周囲に付着したりするのを抑えることができるとともに、取出し具を中蓋から容易に取り外すことができる。
【図面の簡単な説明】
【００１７】
【図１】本発明の実施形態に係る中蓋付き容器の要部の断面図である。
【図２】図１に示す中蓋付き容器の中蓋の平面図であって、中蓋を上から見た図である。
【図３】図２に示すＸ１−Ｘ１線断面図であって、中蓋の縦断面図である。
【図４】スパチュラの長手方向の一端を下方に押し付けて、他端を浮き上がらせた状態を示す縦断面図であって、図３に対応する図である。
【図５】第１変形例による中蓋付き容器の中蓋を示す縦断面図であって、図３に対応する図である。
【図６】第２変形例による中蓋付き容器の中蓋を示す縦断面図であって、図３に対応する図である。
【図７】第３変形例による中蓋付き容器の中蓋を示す平面図であって、図２に対応する図である。
【図８】図７に示すＸ２−Ｘ２線断面図であって、中蓋の縦断面図である。
【図９】図７に示すＸ３−Ｘ３線断面図であって、中蓋の縦断面図である。
【発明を実施するための形態】
【００１８】
以下、本発明に係る実施形態の中蓋付き容器を、図面を参照して説明する。
図１に示すように、中蓋付き容器１は、内容物が収容される容器本体１０と、容器本体１０の口部１０ａに着脱自在に装着される中蓋２と、中蓋２に着脱自在に配設されたスパチュラ３（取出し具）と、を備えている。
中蓋付き容器１には、中蓋２を外側から覆うとともに、容器本体１０に離脱自在に装着された有頂筒状のキャップ４が設けられている。
【００１９】
ここで本実施形態では、容器本体１０は有底筒状に形成され、その横断面の中央を通る中心軸線を容器軸Ｏといい、容器軸Ｏ方向に沿って、容器本体１０の口部１０ａ側を上方といい、容器本体１０の底部１０ｂ側を下方という。また、容器軸Ｏ方向から見た平面視において、容器軸Ｏに直交する方向を径方向といい、容器軸Ｏ回りに周回する方向を周方向という。
【００２０】
容器本体１０は、内容物が収容される内容器１１と、内容器１１が内装される外容器１２と、を備えている。外容器１２の底部１２ａには、内容器１１の底部１１ｂを外部に露呈する窓孔１３が形成されている。窓孔１３は、容器軸Ｏと同軸に配置されている。
【００２１】
また、内容器１１は、外容器１２内に着脱自在に装着されている。これらの内容器１１および外容器１２には、互いが周方向に係合する係合部が形成されており、これらの係合部が互いに係合することにより、外容器１２および内容器１１の周方向の相対回転が防止されている。
【００２２】
図２及び図３に示すように、中蓋２は、天壁部２１と、天壁部２１から下方に向けて突出し、容器本体１０の口部１０ａに外装される脚部２２と、を備えている。
天壁部２１には、下側に向けて窪み、スパチュラ３が収容される収容凹部２３が形成されている。収容凹部２３は、天壁部２１における外周部２１ｃを除く全域にわたって形成され、上面視で円形状を呈する。収容凹部２３は、内容器１１の口部１１ａ内に嵌合されている。天壁部２１の外周部２１ｃは、内容器１１の上端開口縁に配置されている。
【００２３】
収容凹部２３の底壁部２３ａは、スパチュラ３が載置される支持高部２７と、支持高部２７より下方に位置しスパチュラ３との間に容器軸Ｏ方向の隙間が設けられた取出し低部２８と、を備えている。
【００２４】
支持高部２７は、底壁部２３ａにおける中央部に配置され、容器軸Ｏに直交する平坦面になっている。支持高部２７を容器軸Ｏ方向から見た平面視形状は、容器軸Ｏと同軸の円形状となっている。ここで、スパチュラ３の長手方向の長さ寸法は、収容凹部２３の底壁部２３ａの直径よりも小さく設定されている。そして、平坦面をなす支持高部２７の直径は、スパチュラ３の長さ寸法よりも直径小さく設定されている。
取出し低部２８は、支持高部２７から径方向の外側に向かうに従い漸次下方に向けて延在する傾斜面を形成している。
【００２５】
脚部２２は、天壁部２１の外周縁から下方に向けて突出する脚片２４と、脚片２４の下端部を径方向の外側から囲繞する環状の接地部２５と、脚片２４と接地部２５とを連結する連結部２６と、を備えている。
脚片２４は、周方向に一定の間隔をあけて複数（図２では６つ）が配設されている。
接地部２５は容器軸Ｏと同軸に配置された環状に形成されている。接地部２５の内径は、後述の雄ねじ部１４ａの外径より大きくなっている。接地部２５の外径は、外容器１２の胴部１５の外径より小さくなっている。接地部２５はキャップ４により径方向の外側から囲繞されている。
【００２６】
図１に示すように、外容器１２は、口部１４と、外径が口部１４より大径に形成された胴部１５と、を備えている。外容器１２の口部１４に雄ねじ部１４ａが形成されている。外容器１２の口部１４には、容器軸Ｏ方向に延びるとともに、雄ねじ部１４ａを周方向に分断する縦溝１６が、周方向に間隔をあけて複数形成されている。外容器１２の口部１４の上端開口縁には、内径が口部１４の内径と同等で、かつ外径が口部１４の外径より小径の上筒部１４ｂが上方に向けて突設されている。
【００２７】
また、外容器１２の口部１４の外周面における縦溝１６の上端開口部は、上方に向かうに従い漸次、縦溝１６における溝幅方向の外側に向けて延びる突曲線状に形成されている。また、縦溝１６の溝底は、外容器１２の口部１４の表面と面一とされている。このような縦溝１６には、中蓋２の脚片２４が差し込まれている。
【００２８】
内容器１１は、上端開口縁から径方向の外側に向けて突出するとともに、外容器１２の上筒部１４ｂの外側を向く外周面に、径方向の外側からアンダーカット係合される係合筒１１ｄが設けられている。内容器１１は、底部１１ｂにおいて、下方に向けて突出する嵌合凸部１１ｅが設けられていて、外容器１２の窓孔１３の内面に嵌合されている。
【００２９】
図１に示すように、キャップ４は、頂壁部４１と、頂壁部４１の外周縁から下方に向けて延びるとともに外容器１２に螺着される螺着筒４２と、を備えている。螺着筒４２の内周面には、外容器１２の雄ねじ部１４ａに螺合される雌ねじ部４２ａが形成されている。螺着筒４２の下端開口縁には、下筒部４４が突設されている。
また、螺着筒４２の上端部内には、円盤状のパッキン４３が嵌合されている。このパッキン４３は、外周部が容器本体１０の口部１０ａの上端面（中蓋２の天壁部２１の外周部２１ｃ）に対して密着してシールされ、収容凹部２３内を密封している。
そして、外容器１２の雄ねじ部１４ａには、縦溝１６に中蓋２の脚片２４が差し込まれた状態で、キャップ４の螺着筒４２が外嵌され、このときキャップ４の下筒部４４によって中蓋２の接地部２５が径方向の外側から囲繞される。
【００３０】
以上説明したように、本実施形態の中蓋付き容器１によれば、図１及び図３に示すように、中蓋２に、天壁部２１から下方に向けて突出する脚部２２が備えられているので、容器本体１０内の内容物を取出すに際し、容器本体１０の口部１４から離脱した中蓋２を、脚部２２を載置面に接地させることにより、天壁部２１の下面２１ａを下方に向けた状態で自立させることができる。これにより、天壁部２１の下面２１ａに付着した内容物が周囲に付着したり、周囲の埃などが天壁部２１の下面２１ａに付着したりするのを抑制することができるとともに、中蓋２を容器本体１０の口部１０ａに再度装着するときに、脚部２２を把持することで中蓋２を容易に操作することができる。
また、本実施形態では、中蓋２を自立させた状態でスパチュラ３を中蓋２から取り外すことが可能になり、優れた操作性を具備させることができる。
【００３１】
そして、収容凹部２３の底壁部２３ａが支持高部２７および取出し低部２８を備えているので、取出し低部２８とスパチュラ３との間に指を差込み易くなり、容器本体１０の口部１０ａから離脱した中蓋２を自立させることが可能になることと相俟って、スパチュラ３を容易に摘まむことができる。
【００３２】
しかも、本実施形態では、図４に示すように、支持高部２７が底壁部２３ａにおける中央部に配置され、かつ取出し低部２８が支持高部２７から径方向の外側に向かうに従い漸次下方に向けて延在しているので、スパチュラ３のうち、長手方向の一端部３ａを収容凹部２３の底壁部２３ａに向けて押し付けると、長手方向の他端部３ｂが、収容凹部２３の底壁部２３ａから浮き上がって容器軸Ｏ方向の隙間が広くなり、取出し低部２８とスパチュラ３との間に指をより一層差込み易くなる。
【００３３】
さらに、本実施形態では、支持高部２７が容器軸Ｏに直交する平坦面になっていることから、収容凹部２３におけるスパチュラ３の位置を安定させることができる。
また、支持高部２７の直径が、収容凹部２３の底壁部２３ａの直径よりも小さいスパチュラ３の長さ寸法よりも小さく設定されているので、例えば、図２の二点鎖線に示すように、スパチュラ３が収容凹部２３内で移動しても、スパチュラ３の長手方向の中央部の一部が支持高部２７に重なる。そのため、このスパチュラ３の長手方向の一端部３ａを収容凹部２３の底壁部２３ａに向けて押し付けると、長手方向の他端部３ｂが、収容凹部２３の底壁部２３ａから浮き上がって容器軸Ｏ方向の隙間が広くなり、取出し低部２８とスパチュラ３との間に指を差込み易くなる。
【００３４】
なお、本実施形態において、スパチュラ３が支持高部２７に対して重ならずに外れていてもよい。この場合には、スパチュラ３が取出し低部２８に位置し、取出し低部２８が支持高部２７から径方向の外側に向かうに従い漸次下方に向けて延在する傾斜面を形成しているため、スパチュラ３と取出し低部２８との間に隙間が形成され、取出し低部２８とスパチュラ３との間に指を差込むことができる。
【００３５】
また、本実施形態では、脚部２２が、環状の接地部２５を備えているので、中蓋２を載置面に確実に安定して接地させることができる。
さらに、本実施形態では、脚片２４が弾性変形するのを環状の接地部２５によって抑制することが可能になり、中蓋２を容器本体１０の口部１０ａに装着する際に、脚片２４がぐらつくのを防ぐことが可能になり、この装着を容易に行うことができる。
【００３６】
（第１変形例）
図５に示す第１変形例による中蓋付き容器１Ａは、収容凹部２３の底壁部２３ａにおいて、取出し低部２８Ａが中心部から径方向の外側に向かうに従い漸次下方に向けて延在する傾斜面を形成した円錐形状をなしている。つまり、上述した実施形態では、平坦面を形成した支持高部２７であるが、本第１変形例の支持高部２７Ａは、円錐形状の取出し低部２８Ａの頂部に位置している。
第１変形例の場合には、スパチュラ３と取出し低部２８Ａとの間に隙間が形成されることから、取出し低部２８Ａとスパチュラ３との間に指を差込むことができる。
【００３７】
（第２変形例）
図６に示す第２変形例による中蓋付き容器１Ｂは、中蓋２の収容凹部２３の底壁部２３ａのうち取出し低部２８Ｂが径方向の中央部において上に突となる凸曲面を形成している。第２変形例による支持高部２７Ｂは、凸曲面をなす取出し低部２８Ｂの頂部に位置している。
第１変形例の場合には、スパチュラ３と取出し低部２８Ｂとの間に隙間が形成されることから、取出し低部２８Ｂとスパチュラ３との間に指を差込むことができる。
【００３８】
さらに、上述した第１変形例および第２変形例による中蓋付き容器１Ａ、１Ｂでは、支持高部２７Ａ、２７Ｂに上述した実施形態のような平坦面が形成されていないので、スパチュラ３の一端部３ａを収容凹部２３の底壁部２３ａに向けて押し付けたときの他端部３ｂの浮き上がり量が大きくなり、スパチュラ３を中蓋２から取り外す操作性を向上させることができる。
【００３９】
（第３変形例）
次に、第３変形例による中蓋付き容器１Ｃについて、図７〜図９に基づいて説明する。中蓋付き容器１Ｃによる中蓋２は、支持高部２７Ｃが収容凹部２３の底壁部２３ａにおける外周部２１ｃに配置されて環状に形成されている。スパチュラ３は、長手方向の両端部３ａ、３ｂが環状の支持高部２７Ｃに支持されている。取出し低部２８Ｃは、支持高部２７Ｃの内周縁に段部を介して連なっている。
【００４０】
第３変形例では、支持高部２７Ｃが環状に形成されていて、スパチュラ３における長手方向の両端部３ａを支持しているので、収容凹部２３におけるスパチュラ３の位置を確実に安定させることができる。
また、この場合には、図８及び図９に示すように、取出し低部２８Ｃが、支持高部２７Ｃの内周縁に段部を介して連なっているので、取出し低部２８Ｃの内容積を大きく確保することが可能になり、指を取出し低部２８内に容易に差込むことができる。
【００４１】
なお、本発明の技術的範囲は前記実施形態に限定されるものではなく、本発明の趣旨を逸脱しない範囲において種々の変更を加えることが可能である。
【００４２】
例えば、前記実施形態では、中蓋２の脚片２４が周方向に６つ配設されているが、脚片２４の数量や形状を適宜変更することが可能である。
また、前記実施形態で、平坦面を形成する支持高部２７の平面視形状は円形状であることに限定されることはなく、また直径についても適宜設定することができる。
【００４３】
また、本実施形態では、取出し具としてスパチュラ３を採用しているが、スパチュラに限らず、例えば、刷毛、フォーク等であってもよい。
さらに、支持高部に、スパチュラ３の位置ずれを規制する規制突部などを設けてもよい。
【００４４】
また、本実施形態では、内容器１１と外容器１２とが別体で設けられているが、これに限定されず、一体に設けられていてもよい。  
【００４５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４６】
１、１Ａ、１Ｂ、１Ｃ  中蓋付き容器
２  中蓋
３  スパチュラ（取出し具）
４  キャップ
１０  容器本体
１０ａ  口部
１１  内容器
１２  外容器
１３  窓孔
１６  縦溝
２１  天壁部
２２  脚部
２３  収容凹部
２３ａ  底壁部
２４  脚片
２５  接地部
２７、２７Ａ、２７Ｂ、２７Ｃ  支持高部
２８、２８Ａ、２８Ｂ、２８Ｃ  取出し低部
Ｏ  容器軸
【図１】
0006741411.tif 000002
【図２】
0006741411.tif 000003
【図３】
0006741411.tif 000004
【図４】
0006741411.tif 000005
【図５】
0006741411.tif 000006
【図６】
0006741411.tif 000007
【図７】
0006741411.tif 000008
【図８】
0006741411.tif 000009
【図９】
0006741411.tif 000010